(57)【要約】本発明は、同じ顧客端末（２）へ、第１サービス品質を持った少なくとも一つの第１フローと、第２サービス品質を持った少なくとも一つの第２フローとを転送するための方法とシステムに関連し、未接続のネットワークを経由してメッセージを交換することによって、サービス品質を持ったネットワーク資源の予約後に、前記第１フローは、未接続のネットワークを通して顧客端末（２）へ送信され、前記第２フローは、接続済みのネットワークを通してコンテントサーバー（６）によって前記顧客端末（２）へ送信される。本発明による方法は、さらに、−顧客端末（２）とコンテントサーバー（６）との間で、高い処理能力のリンクを確立する段階と、−前記高い処理能力のリンクを通して、顧客端末（２）へ、予約したサービス品質を持った第２フローを送信する段階とを備える。
2005522064.tif 000002
【特許請求の範囲】
【請求項１】
同じ顧客端末（２）へ、第１サービス品質を持った少なくとも一つの第１フローと、第２サービス品質を持った少なくとも一つの第２フローとを転送するための方法において、
未接続のネットワークを経由してメッセージを交換することによって、サービス品質を持ったネットワーク資源の後に、前記第１フローは、未接続のネットワークを通して顧客端末（２）へ送信され、前記第２フローは、接続済みのネットワークを通してコンテントサーバー（６）によって前記顧客端末（２）へ送信され、さらに、
−顧客端末（２）とコンテントサーバー（６）との間で、高い処理能力のリンクを確立する段階と、
−第１と第２のフローを同じフローに多重化する段階と、
−前記高い処理能力のリンクを通して、得られた多重化したものを顧客端末（２）へ送信する段階と
を含むことを特徴とする方法。
【請求項２】
前記高い処理能力のリンクは、ｘＤＳＬ型であることを特徴とする請求項１記載の方法。
【請求項３】
第２フローは、視聴覚データを表し、第１フローは、第２フローを制御するための信号を表すことを特徴とする請求項２記載の方法。
【請求項４】
未接続のネットワークは、インターネットネットワークであり、接続済みのネットワークは、ＡＴＭネットワークであることを特徴とする請求項３記載の方法。
【請求項５】
さらに、コンテントサーバーと顧客端末との間で、高い処理能力のリンクを確立するために、ネットワーク制御プラットフォームからＡＴＭネットワークへと少なくとも一つの外部命令を送ることから成る段階を含んでいることを特徴とする請求項４記載の方法。
【請求項６】
−視聴覚コンテントを要求するために、インターネットネットワーク経由で、顧客端末（２）を、サービスプラットフォーム（２２）へ接続する段階と、
−コンテントサーバー（６）を識別する段階と、
−制御プラットフォーム（２４）を通して、コンテントサーバー（６）と顧客端末（２）との間で所定のサービス品質を持ったネットワーク資源を予約する段階と、
−前記コンテントサーバー（６）と顧客端末（２）との間で、予め確立されたサービス品質（ＱｏＳ）を持ったポイント・トゥ・ポイント（ＰＰＰ）（ポイント・トゥ・ポイント  プロトコル）セッションを起動する段階と、
−関連する信号伝達信号を持った前記コンテントを、ＡＴＭネットワークを通して顧客端末へ放送する段階と
を含むことを特徴とする請求項２から５のいずれか一つに記載の方法。
【請求項７】
同じ顧客端末（２）へ、第１サービス品質を持った少なくとも一つの第１フローと、第２サービス品質を持った少なくとも一つの第２フローとを転送するためのシステムにおいて、未接続のネットワークを経由してメッセージを交換することによって、サービス品質を持ったネットワーク資源の予約後に、前記第１フローは、未接続のネットワークを通して顧客端末（２）へ送信され、前記第２フローは、接続済みのネットワークを通してコンテントサーバー（６）によって前記顧客端末（２）へ送信され、
−顧客端末（２）とコンテントサーバー（６）との間で、高い処理能力のリンクを確立する手段と、
−第１と第２のフローを同じフローに多重化する手段と、
−前記高い処理能力のリンクを通して、得られた多重化したものを顧客端末（２）へ送信する手段と
を含むことを特徴とするシステム。
【請求項８】
前記高い処理能力のリンクは、ｘＤＳＬ型であることを特徴とする請求項７記載のシステム。
【請求項９】
第２フローは、視聴覚データを表し、第１フローは、第２フローのための制御信号を表すことを特徴とする請求項８記載のシステム。
【請求項１０】
未接続のネットワークは、インターネットネットワークであり、接続済みのネットワークは、ＡＴＭネットワークであることを特徴とする請求項９記載のシステム。
【請求項１１】
顧客端末（２）とコンテントサーバー（６）との間でｘＤＳＬリンクを確立するための前記手段には、ＤＳＬＡＭ型のディジタルマルチプレクサ（８）と、顧客端末をコンテントサーバーに接続するための少なくとも一つの第１ＡＴＭ交換機（１０）とが含まれることを特徴とする請求項７から１０のいずれか一つに記載のシステム。
【請求項１２】
さらに、高い処理能力のリンクを、インターネットネットワーク経由でＡＴＭネットワークと制御ネットワークとの間に提供する第１高処理能力ＢＡＳサーバー（１４）と、高い処理能力のリンクを顧客端末（２）と視聴覚データのサーバー（６）との間に提供する第２高処理能力ＢＡＳサーバー（１６）とを含むことを特徴とする請求項１１記載のシステム。
【発明の詳細な説明】
【技術分野】
【０００１】
本発明は、データフローをデータ交換ネットワークを通して転送する分野にあり、また、さらに、異なるサービス品質（ＱｏＳ）の要求を持った、少なくとも２つのデータフローを同一の端末に転送するための方法とシステムに関する。
【背景技術】
【０００２】
ＩＰフローのようなデータフローを転送し交換するための機構は、経路選択の方式によって定まる。
【０００３】
ルータ（router）は、データフローをそこに通すために、例えば、元のままのＩＰあるいはＡＴＭ（非同期転送モード）のような別のプロトコルに包まれた、異なるプロトコルを使用するであろう２つのネットワークの間のインターフェイスである。経路の選択は、一般的に、転送しようとするパケットのヘッダを分析することで決められる。
【０００４】
網型回線網の中でパケットの経路選択を実行するためには、ノードは、パケットを決定したり送ったりする前に、他の全てのノードの状態を知っていなくてはならないということを思い出してみたい。これは、現在では実現することはできない。また、第１段階として、経路選択は、パケット交換と経路選択表がその中にある、いくつかの要素がなくてはならない。交換ノードは、一般的に、パケットから得たフレームを転送する出力ラインで形成される。パケットは、経路選択表から出力ラインに向けて交換機によって経路選択される。
【０００５】
従来は、経路選択は、新しい経路選択表の定義に関する決定と、それを異なるネットワーク局に送る決定をする中央ノードから、中央集約的な方法で実行されることが多かった。この中央ノードは、ネットワークの全ての要素からの情報を受け取り、前もって決定されたアルゴリズムに従って経路選択表を描く。この新しい経路選択表を作り上げるのに考慮されるであろう項目の中で、次のものを挙げたい。
【０００６】
−リンクの費用
−ノード内を通過する費用
−要求されている処理能力
−要求されている通過遅延
−交差するノードの数
−パケットの一部のクラスに対する転送の安全性
−交換ノードのメモリの占有率
−ライン結合器の占有率
【０００７】
また、経路選択表が時間と共に変化しないような、いわゆる固定した経路選択について述べてみたい。この経路選択は、通常は最短の経路選択アルゴリズムに対応する同じ方向でノードに入る各パケットを送ることから成る。
より発展した技術には、経路選択表を非同期で送ることが含まれる。
【０００８】
他の既知の方式であるＭＰＬＳ（マルチプロトコルラベルスイッチング：MultiProtocol Label Switching）によって、ＩＰフローは、同じパケットを重カプセル化（overencapsulation）することで異なる方向に転送することができる。これによって、ルータの方式及び使用する経路選択機構を変更せずに、異なるサービス品質（ＱｏＳ）のネットワーク上で転送するために、フローは、類別されるだろう。
【０００９】
【特許文献１】仏国特許出願第９９  １３５２号公報
【特許文献２】仏国特許出願第９９  １２３５２号公報
【非特許文献１】１９９８年１０月IEEE Communications Magazine第３巻第１０号６４〜７０頁"IEEE, p-1520 Standards Initiative for Programmble Network Interface"
【発明の開示】
【発明が解決しようとする課題】
【００１０】
上述した技術を用いることでは、異なるサービス品質を持ったＩＰパケットを、標準的な装備のネットワーク内に導くことは、これらのパケットの行き先アドレスが、例えば、放送のアドレスが所定のアドレスの一族に属するような、プロトコルインデックスマルチキャスト（Protocol Index multicast）型のプロトコルで放送されない限り不可能である。結果として、経路選択は、前もって分かっているアドレスに対してのみ可能となる。
【００１１】
これは、複数の端末に対するマルチキャストモードのデータ送信と相容れないものである。
【００１２】
より詳細には、アドレスを放送することは、データあるいは視聴覚プログラムを、インターネットネットワークのような解放されたネットワークを通して配付することとは合わない。
【００１３】
出願人によって１９９９年１０月４日に出願された特許文献１には、発呼側端末が、接続したネットワークを通して着呼側端末と接続するために、サービス品質を備えたネットワーク資源を、未接続のネットワークを通して予約することができるプロトコルが記載されている。
【課題を解決するための手段】
【００１４】
この明細書に記載した本発明は、J.Biswas, AA.Lazar, J.F.Huard, K.S.Lim, S.Mahjoub, L.F.Pau, M.Suziki, S.Tortensson, W.Wang, S.Weisteinの発表した、非特許文献１の論文に記載される、資源予約ＧＳＭＰ（Generic Switch Managemant Protocol）とＰ１５２０プロトコルに限定される。従って、本発明は、単独で、接続モードＡＴＭネットワーク上に移送されたＡＴＭフローに適用される。さらに、この明細書に記載される本方法は、異なるサービス品質のデータフローの透過的多重化は、提供しない。
【００１５】
本発明の目的は、上述した従来技術の不完全さを、ＩＰデータが、異なるサービス品質の要求を持つ少なくとも２つの異なる装置から、同じ端末へ流れることを可能にする方法とシステムとによって克服することにある。
【００１６】
本発明の他の目的は、接続済みネットワークのプロトコルと未接続ネットワークのプロトコルとを結合して、高い処理能力でディジタルデータを同じ顧客端末へ転送することである。
【００１７】
本発明の他の目的は、同じデータをｓＸＤＬ技術を用いることによって電話線を通して配付することである。
【００１８】
従って、本発明は、同じ顧客端末へ、第１サービス品質を持った少なくとも一つの第１フローと、第２サービス品質を持った少なくとも一つの第２フローとを転送するための方法を提供し、未接続のネットワークを経由してメッセージを交換することによって、サービス品質を持ったネットワーク資源の予約後に、前記第１フローは、未接続のネットワークを通して顧客端末へ送信され、前記第２フローは、接続済みのネットワークを通してコンテントサーバーによって前記顧客端末へ送信される。
【００１９】
本発明による方法は、さらに、以下の段階を含む。
−顧客端末とコンテントサーバーとの間で、高い処理能力のリンクを確立する段階と、
−第１と第２のフローを同じフローに多重化する段階と、
−前記高い処理能力のリンクを通して、顧客端末のところで得られた多重化したものを送信する段階。
【００２０】
本発明によると、前記高い処理能力のリンクは、ｘＤＳＬ型である。
【００２１】
本発明による方法の一アプリケーションでは、第２のフローは、視聴覚データを表し、第２のフローは、第２のフローを制御するための信号を表す。
【００２２】
本発明の一実施形態によると、未接続のネットワークは、インターネットネットワークであり、接続済みのネットワークは、ＡＴＭ（非同期転送モード）ネットワークである。
【００２３】
この場合、本方法は、さらに、コンテントサーバーと顧客端末との間で、高い処理能力のリンクを確立するために、ネットワーク制御プラットフォームからＡＴＭネットワークへと少なくとも一つの外部命令を送ることから成る段階を含んでいる。第１フローと第２フローとは、同じフローに多重化され、確立された高い処理能力の接続を経由して顧客端末へ送信される。
【００２４】
本実施形態において、いくつかの端末が例えばＶｏＤ（Video On Demand）用途の枠組みの中で、視聴覚データを要求し、顧客端末へ向かう視聴覚のフローは以下の段階を含んでいる。
−視聴覚コンテントを要求するために、インターネットネットワーク経由で、顧客端末を、サービスプラットフォームへ接続する段階と、
−視聴覚コンテントのサーバーを識別する段階と、
−制御プラットフォームを通して、視聴覚サーバーと顧客端末との間で所定のサービス品質を持ったネットワーク資源を予約する段階と、
−視聴覚サーバーと顧客端末との間で、予め確立されたサービス品質（ＱｏＳ）を持ったポイント・トゥ・ポイント（ＰＰＰ）（ポイント・トゥ・ポイント  プロトコル）セッションを起動する段階と、
−関連する制御（読み出し、休止、逆方向…）信号を持った前記視聴覚コンテントを、ＡＴＭネットワークを通して顧客端末へ放送する段階。
【００２５】
本発明は、また同じ顧客端末へ、第１サービス品質を持った少なくとも一つの第１フローと、第２サービス品質を持った少なくとも一つの第２フローとを転送するためのシステムに関し、未接続のネットワークを経由してメッセージを交換することによって、サービス品質を持ったネットワーク資源の予約後に、前記第１フローは、未接続のネットワークを通して顧客端末へ送信され、前記第２フローは、接続済みのネットワークを通してコンテントサーバーによって前記顧客端末へ送信される。
【００２６】
本発明によるシステムは、以下のものを含んでいる。
−顧客端末とコンテントサーバーとの間で、高い処理能力のリンクを確立する手段と、
−第１と第２のフローを同じフローに多重化する手段と、
−前記高い処理能力のリンクを通して、顧客端末のところで得られた多重化したものを送信する手段。
【００２７】
本発明の一実施形態において、顧客端末とコンテントサーバーとの間で高い処理能力のリンクを確立するための前記手段には、ＤＳＬＡＭ（Digital Subscriber Line Access Multiplexer）型のディジタルマルチプレクサと、顧客端末をコンテントサーバーに接続するための少なくとも一つのＡＴＭ交換機とが含まれる。
【００２８】
本発明によるシステムには、さらに、ＡＴＭネットワークと制御ネットワークとの間でインターネットネットワーク経由で高い処理能力のリンクを提供するための第１高処理能力ＢＡＳ（Broadband Access Server）と、顧客端末と視聴覚データサーバーとの間で高い処理能力のリンクを提供するための第１高処理能力ＢＡＳとが含まれる。
【００２９】
本発明の他の特徴と利点とは、添付の図面を参照して、制限を設けない例による、以下の説明から明らかになるであろう。
【発明を実施するための最良の形態】
【００３０】
以下の説明は、顧客端末によって送られたフィルムをインターネットネットワークを通して配付するための要求を受け取り、要求者にサービス品質を持ったフローの中にカプセル化した視聴覚データをＡＴＭネットワークを通して送り返すＶｏＤアプリケーションを設計するために、ＡＴＭ（非同期転送モード）プロトコルとＩＰプロトコル（インターネットプロトコル）とを結合することから成る、本発明の一特定例の用途に関する。
【００３１】
図１を参照すると、モデム４を与えられた顧客端末２は、本発明によるシステムを通して、地理的に分布させられた複数のビデオサーバーの中のビデオサーバー６に接続される。
【００３２】
図２に図示されるように、視聴覚プログラムは、放送ネットワーク３を経由して別のコンテントサーバーにアクセスできる中央データベース７の中に保存することができる。
【００３３】
図１のシステムには、モデム４と第１ＡＴＭ交換機１０の間に置かれた、ＤＳＬＡＭ（Digital Subscriber Line Access Multiplexer）型のディジタルマルチプレクサ８が含まれる。第２ＡＴＭ交換機１２は、第１ＡＴＭ交換機１０と、第１放送ＢＡＳ（Broadband Access Server）サーバー１４と、第２放送サーバー１６とに、それぞれ接続されている。第１放送サーバー１４は、ネットワーク命令を第１交換ＡＴＭ１０と第２ＡＴＭ交換機１２と第１放送ＢＡＳ（Broadband Access Server）サーバー１４と第２放送サーバー１６とへ送ることのできる制御プラットフォーム２４と交信するサービスプラットフォーム２２へ、インターネットネットワーク２０を経由して接続される。
【００３４】
サービス品質を持った視聴覚フローを顧客サーバー２へ転送するための方法が、図３を参照しつつ説明されるが、ここで、本方法の異なる段階が、システムの装置の異なる要素を結びつける矢印で示されている。
【００３５】
段階３０において、視聴覚プログラムの要求者は、接続のための標準的な要求を、インターネットネットワーク２０を経由してサービスプラットフォーム２２へ送る。
【００３６】
制御プラットフォーム２４を経由したサービスプラットフォーム２２による顧客の認証及び地域特化（localization）の後に、サービスプラットフォーム２２は、分布したコンテントサーバー６の間から顧客の近接ビデオサーバー６を識別する。
【００３７】
別の実施形態において、もし顧客の希望する視聴覚コンテントが、識別された近接サーー上に見付からなければ、制御プラットフォーム２４は、データベース７と近接サーバー６との間で放送ネットワーク３を通して、高い処理能力のリンクを動的に作る。段階３２において、サービスプラットフォーム２２は、顧客端末２とビデオサーバー６の間で要求のあったサービスに必要なサービス品質を備えたネットワーク資源を保存するための外部命令（ＡＴＭ接続の確立／解放）を第１ＡＴＭ交換機１０に送る制御プラットフォーム２４にアクセスする（段階３４）。ネットワーク資源を予約するための手続きは、出願人によって１９９９年１０月４日に出願された特許文献２に詳細が説明されている。
【００３８】
段階３６において、制御プラットフォーム２４は、ビデオに特化して、顧客端末２と第１放送ＢＡＳサーバー１４との間のサービスセッション（ＰＰＰ）を起動する。このセッション（ＰＰＰ）は、段階３４において確立した、ＱｏＳとの接続に基づいている。
【００３９】
段階４０において、サービスプラットフォーム２２は、顧客側でビデオのアプリケーションを開始し、予約したサービス品質を備えた視聴覚データのフローの放送を制御する。
【００４０】
そうして作られたＱｏＳを備えたビデオチャネルは、一方で、マルチメディアフローをディジタルマルチプレクサ８を通して顧客端末２に向けて転送し、他方で同じ顧客端末２と、読み取りや休止や早送りや巻き戻しや停止命令のようなマルチメディアフローを制御するための信号を交換するのに使用される。
【図面の簡単な説明】
【００４１】
【図１】本発明によりコンテントサーバーから顧客端末へデータフローを転送するためのシステムの図である。
【図２】地理的な域によるコンテントサーバーの分配の図である。
【図３】本発明による方法の一実施形態の部分的な機能図である。
【符号の説明】
【００４２】
２…顧客端末
３…放送ネットワーク
４…モデム
６…ビデオサーバー
８…ディジタルマルチプレクサ
１０…第１ＡＴＭ交換機
１２…第２ＡＴＭ交換機
１４…第１放送ＢＡＳサーバー
１６…第２放送サーバー
２０…インターネットネットワーク
２２…サービスプラットフォーム
２４…制御プラットフォーム
【図１】
2005522064.tif 000003
【図２】
2005522064.tif 000004
【図３】
2005522064.tif 000005
【手続補正書】
【提出日】平成16年5月11日(2004.5.11)
【手続補正１】
【補正対象書類名】特許請求の範囲
【補正対象項目名】全文
【補正方法】変更
【補正の内容】
【特許請求の範囲】
【請求項１】
同じ顧客端末（２）へ、第１サービス品質を持った少なくとも一つの第１フローと、未接続のネットワークを経由してメッセージを交換することによって、サービス品質を持ったネットワーク資源の予約後に、コンテントサーバー（６）によって前記顧客端末（２）へ第２サービス品質で送信される少なくとも一つの第２フローとを転送するための方法において、
前記方法は、さらに、
−顧客端末（２）とコンテントサーバー（６）との間で、高い処理能力のリンクを確立する段階と、
−第１と第２のフローを同じフローに多重化する段階と、
−前記高い処理能力のリンクを通して、得られた多重化したものを顧客端末（２）へ送信する段階と
を含むことを特徴とする方法。
【請求項２】
前記高い処理能力のリンクは、ｘＤＳＬ型であることを特徴とする請求項１記載の方法。
【請求項３】
第２フローは、視聴覚データを表し、第１フローは、第２フローを制御するための信号を表すことを特徴とする請求項２記載の方法。
【請求項４】
−視聴覚コンテントを要求するために、インターネットネットワーク経由で、顧客端末（２）を、サービスプラットフォーム（２２）へ接続する段階と、
−コンテントサーバー（６）を識別する段階と、
−制御プラットフォーム（２４）を通して、コンテントサーバー（６）と顧客端末（２）との間で所定のサービス品質を持ったネットワーク資源を予約する段階と、
−前記コンテントサーバー（６）と顧客端末（２）との間で、予め確立されたサービス品質（ＱｏＳ）を持ったポイント・トゥ・ポイント（ＰＰＰ）（ポイント・トゥ・ポイント  プロトコル）セッションを起動する段階と、
−関連する信号伝達信号を持った前記コンテントを、ＡＴＭネットワークを通して顧客端末へ放送する段階と
を含むことを特徴とする請求項２あるいは３のいずれか一つに記載の方法。
【請求項５】
同じ顧客端末（２）へ、第１サービス品質を持った少なくとも一つの第１フローと、未接続のネットワークを経由してメッセージを交換することによって、サービス品質を持ったネットワーク資源の予約後に、コンテントサーバー（６）によって前記顧客端末（２）へ第２サービス品質で送信される少なくとも一つの第２フローとを転送するためのシステムにおいて、
−顧客端末（２）とコンテントサーバー（６）との間で、高い処理能力のリンクを確立する手段と、
−第１と第２のフローを同じフローに多重化する手段と、
−前記高い処理能力のリンクを通して、得られた多重化したものを顧客端末（２）へ送信する手段と
を含むことを特徴とするシステム。
【請求項６】
前記高い処理能力のリンクは、ｘＤＳＬ型であることを特徴とする請求項５記載のシステム。
【請求項７】
第２フローは、視聴覚データを表し、第１フローは、第２フローを制御するための信号を表すことを特徴とする請求項６記載のシステム。
【請求項８】
顧客端末（２）とコンテントサーバー（６）との間でｘＤＳＬリンクを確立するための前記手段には、ＤＳＬＡＭ型のディジタルマルチプレクサ（８）と、顧客端末をコンテントサーバーに接続するための少なくとも一つの第１ＡＴＭ交換機（１０）とが含まれることを特徴とする請求項５から７のいずれか一つに記載のシステム。
【請求項９】
さらに、高い処理能力のリンクを、インターネットネットワーク経由でＡＴＭネットワークと制御ネットワークとの間に提供する第１高処理能力ＢＡＳサーバー（１４）と、高い処理能力のリンクを顧客端末（２）と視聴覚データのサーバー（６）との間に提供する第２高処理能力ＢＡＳサーバー（１６）とを備えることを特徴とする請求項８記載のシステム。
【国際調査報告】
2005522064.tif 000006
2005522064.tif 000007
2005522064.tif 000008
2005522064.tif 000009
2005522064.tif 000010
2005522064.tif 000011